(57)【要約】  【課題】現在、地上デジタルテレビ放送を視聴可能な携帯電話等の携帯端末の開発が進められている。携帯端末は、通常バッテリーにより動作するため消費電力を抑える必要がある。また、ユーザがテレビ放送を視聴する前に番組情報等を提供できると便利である。  【解決手段】デジタル放送信号について別々の処理を実行する第一処理ブロックと第二処理ブロックを有するデジタル放送受信装置であって、ユーザ等によりデジタル放送受信装置の状態が視聴可能状態となり、かつ視聴開始のための視聴操作が行なわれない場合に、第一処理ブロックに電源を供給し、第二処理ブロックには電源を供給しないデジタル放送受信装置を提案する。第一処理ブロックはＥＩＴ等の番組情報をデコードするための処理機構等を、第二処理ブロックは映像データや音声データをデコードする処理機構等を想定している。【選択図】            図１
2007067976.tif 000002
【特許請求の範囲】
【請求項１】
デジタル放送信号を処理する第一処理ブロックと、
デジタル放送信号の前記第一処理ブロックと異なる処理を実行する第二処理ブロックと、
機器の状態が視聴可能状態か視聴不能状態かを検出する状態検出部と、
状態検出部での検出結果が視聴可能状態である場合に視聴操作を受け付けるための視聴操作部と、
状態検出部での検出結果が視聴可能状態となり、視聴操作部が視聴操作を未だ受け付けていない場合に第一処理ブロックに電源を供給し、第二処理ブロックに電源を供給しない制御を行う制御部と、
を有するデジタル放送受信装置。
【請求項２】
前記第一処理ブロックは、
デジタル放送信号を受信するチューナ部と、ＴＳ分離部と、ＥＩＴ解析部の少なくとも一を含み、
前記第二処理ブロックは、
デコード部を含む
請求項１に記載のデジタル放送受信装置。
【請求項３】
前記ＥＩＴ解析部は、解析結果に基づいて番組情報を出力するための処理を実行するための番組情報出力手段を有する請求項２に記載のデジタル放送受信装置。
【請求項４】
前記制御部は、状態検出部での検出結果が視聴可能状態となった後、一定時間内に視聴操作部が視聴操作を受け付けない場合には、第一処理ブロックへの電源供給を中止する電源供給中止手段を有する請求項１から３のいずれか一に記載のデジタル放送受信装置。
【請求項５】
前記制御部は、前記番組情報出力手段にて番組情報を出力するための処理を実行するに際してチューナ部に対し選択すべきデジタル放送信号チャンネルの選択優先順位を決定する優先順位決定手段をさらに有する請求項３に記載のデジタル放送受信装置。
【請求項６】
デジタル放送信号の視聴履歴を保持する視聴履歴保持部を有し、
前記優先順位決定手段は、前記視聴履歴保持部にて保持されている視聴履歴に基づいて選択優先順位を決定する視聴履歴依存決定器を有する請求項５に記載のデジタル放送受信装置。
【請求項７】
時計部を有し、
前記視聴履歴保持部は、デジタル放送信号の視聴履歴を時刻と関連付けて保持する時刻付視聴履歴保持手段を有し、
前記優先順位決定手段は、時計部から取得した現在時刻と、時刻付視聴履歴保持手段に保持されている視聴履歴と、に基づいて選択優先順位を決定する時刻依存決定器を有する請求項６に記載のデジタル放送受信装置。
【請求項８】
前記制御部は、
優先順位決定手段が決定すべき優先順位を定める情報である優先順位情報を保持する優先順位情報保持手段と、
前記優先順位情報保持手段に保持される優先順位情報を入力するための入力手段と、を有する請求項５から７のいずれか一に記載のデジタル放送受信装置。
【請求項９】
請求項１から８のいずれか一に記載のデジタル放送受信装置を有する携帯型端末装置。
【請求項１０】
デジタル放送信号を処理する第一処理ブロックと、デジタル放送信号の前記第一処理ブロックと異なる処理を実行する第二処理ブロックとを有するデジタル放送受信装置の動作方法であって、
機器の状態が視聴可能状態か視聴不能状態かを検出する状態検出ステップと、
状態検出ステップでの検出結果が視聴可能状態である場合に視聴操作を受け付け可能な状態にするための視聴操作受付準備ステップと、
状態検出ステップでの検出結果が視聴可能状態となり、視聴操作受付準備ステップにて視聴操作を未だ受け付けていない場合に第一処理ブロックに電源を供給し、第二処理ブロックに電源を供給しない制御を行う制御ステップと、
を有するデジタル放送受信装置の動作方法。
【請求項１１】
前記制御ステップは、状態検出ステップでの検出結果が視聴可能状態となった後、一定時間内に視聴操作を受け付けない場合には、第一処理ブロックへの電源供給を中止する電源供給中止ステップを有する請求項１０に記載のデジタル放送受信装置の動作方法。
【発明の詳細な説明】
【技術分野】
【０００１】
本発明は、デジタル放送を受信する受信装置に関し、特に省電力化の技術に関する。
【背景技術】
【０００２】
現在、携帯電話等の携帯端末を対象としたモバイル端末向け地上デジタルテレビ放送のサービス開始に向けて、地上デジタルテレビ放送を視聴可能な携帯端末の開発が進められている。携帯端末は、通常バッテリーにより動作するため消費電力を抑える必要があり、そのため、テレビ視聴を行なわない時には放送受信機能に関わるハードウェアの電源供給を行なわず、ユーザが視聴ボタンを押下する等、視聴開始の操作を行なってからこれらのハードウェアの電源供給を開始するような制御が一般的となっている。ところで、デジタル放送においては、放送波には映像や音声データ以外に番組に関する情報であるＥＩＴ（Ｅｖｅｎｔ  Ｉｎｆｏｒｍａｔｉｏｎ  Ｔａｂｌｅ）が多重化されており、携帯端末で放送波からＥＩＴのデータを取り出して解析することにより放送されている番組の情報を提供することができる。しかし、上述のようにユーザが視聴開始の操作を行なってからハードウェアの電源供給がなされて放送波が受信される場合には、ユーザはテレビ放送を視聴する前に番組情報を知っておくことができない。このような問題を解決するために、例えば、特許文献１においては、テレビ放送を視聴しない時にも周期的に放送波を受信することにより、端末内に保持する番組情報を更新しておく方法が開示されている。
【特許文献１】特開２００４−２２２０３１号公報
【発明の開示】
【発明が解決しようとする課題】
【０００３】
しかしながら、例えば、携帯電話のような携帯端末においては、テレビ視聴の機能以外にも通話機能やメール送受信機能などの機能が備えられて、ユーザによっては、テレビ視聴機能を長時間使用しない場合もある。このようなユーザにとっては、一定時間ごとに放送波の受信を行なうことは、バッテリーを無駄に消費することになってしまう。
【課題を解決するための手段】
【０００４】
そこで、本発明においては、デジタル放送信号について別々の処理を実行する第一処理ブロックと第二処理ブロックを有するデジタル放送受信装置であって、ユーザ等によりデジタル放送受信装置の状態が視聴可能状態となり、かつ視聴開始のための視聴操作が行なわれない場合に、第一処理ブロックに電源を供給し、第二処理ブロックには電源を供給しない制御を実行するデジタル放送受信装置を提案する。第一処理ブロックは放送波を受信しＥＩＴ等の番組情報をデコードするための処理機構等を想定しており、第二処理ブロックは映像データや音声データをデコードする処理機構等を想定している。また、デジタル放送受信装置が上述のようにテレビ視聴機能以外の機能を備えている受信装置であった場合等を考慮し、デジタル放送受信装置の状態が視聴可能状態となった後に、一定時間内に視聴操作が行なわれない場合には、第一処理ブロックへの電源供給を中止する機能を有する構成としてもよい。
【発明の効果】
【０００５】
本発明のデジタル放送受信装置においては、ユーザがテレビ視聴を行なう前に番組情報を得ることが可能であり、かつデジタル放送受信装置の状態が、ユーザがテレビ視聴を行なう可能性が高い状態となった場合に前記第一処理ブロックのみに電源供給を行なうことにより、より効果的にバッテリー消費を抑えることが可能である。
【発明を実施するための最良の形態】
【０００６】
本発明を実施するための最良の形態について図面を用いて詳細に説明する。なお、本発明はこれら実施の形態に何ら限定されるものではなく、その要旨を逸脱しない範囲において、種々なる態様で実施しうる。なお、以下の実施形態と請求項の関係は次の通りである。実施形態１は、主に請求項１、１０などについて説明する。実施形態２は、主に請求項２などについて説明する。実施形態３は、主に請求項３などについて説明する。実施形態４は、主に請求項４、１１などについて説明する。実施形態５は、主に請求項５などについて説明する。実施形態６は、主に請求項６などについて説明する。実施形態７は、主に請求項７などについて説明する。実施形態８は、主に請求項８などについて説明する。実施形態９は、主に請求項９などについて説明する。
（実施形態１）
【０００７】
（実施形態１：概要）本実施形態は、デジタル放送を受信し処理するための第一処理ブロックと第二処理ブロックとを有するデジタル放送受信装置であって、自身の状態が視聴可能状態となり、未だ視聴操作が行なわれない場合には、第一処理ブロックに電源を供給し、第二処理ブロックには電源を供給しないことによって消費電力を抑えることが可能なデジタル放送受信装置に関する。
【０００８】
（実施形態１：構成）本実施形態に係るデジタル放送受信装置の機能ブロックを図１に例示する。デジタル放送受信装置（０１００）は、「第一処理ブロック」（０１０１）と、「第二処理ブロック」（０１０２）と、「状態検出部」（０１０３）と、「視聴操作部」（０１０４）と、「制御部」（０１０５）と、を有する。「デジタル放送受信装置」（０１００）は、デジタル放送を受信可能な装置であり、据え置き型のデジタルテレビ、デジタル放送受信用ＳＴＢ（Ｓｅｔ  Ｔｏｐ  Ｂｏｘ）、デジタル放送受信機能付携帯電話等の携帯型端末、等が該当する。
【０００９】
なお、本件発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インタフェース、周辺装置などで構成されるハードウェアと、それらハードウェア上で実行可能なソフトウェアがある。ソフトウェアとしては、メモリ上に展開されたプログラムを順次実行することで、メモリ上のデータや、インタフェースを介して入力されるデータの加工、保存、出力などにより各部の機能が実現される。さらに具体的には、図２は一般的なコンピュータの構成を例示する図でありコンピュータが主にＣＰＵ（０２１０）、入出力インタフェース（Ｉ／Ｏ）（０２２０）、ハードディスク（ＨＤＤ）（０２３０）、ＲＡＭ（０２４０）、ＲＯＭ（０２５０）等から構成されることを示しているが、本件発明に係るデジタル放送受信装置は図２と同様の構成にて実現される。（明細書の全体を通じて同様である。）
【００１０】
「第一処理ブロック」（０１０１）は、デジタル放送信号を処理する機能を有する。また、「第二処理ブロック」（０１０２）は、デジタル放送信号の前記第一処理ブロック（０１０１）と異なる処理を実行する機能を有する。「デジタル放送信号」とは、映像データ、音声データに加えて、番組情報等の付加データを多重化した信号であり、より具体的には、例えば、地上デジタルテレビ放送に利用されるＭＰＥＧ２のＴＳ（Ｔｒａｎｓｐｏｒｔ  Ｓｔｒｅａｍ）により実現される信号である。また、図３は地上デジタルテレビ放送波の受信処理を示す概略図である。まず、アンテナにて放送信号を受信し（０３０１）、受信した放送波に復調等の処理を行ないＴＳが出力される（０３０２）。出力されたＴＳは、オーディオストリーム（ＡＳ）、ビデオストリーム（ＶＳ）、番組情報等を含むセクションデータ（Ｓ）に分離される（０３０３）。さらに、分離されたオーディオストリーム（ＡＳ）、ビデオストリーム（ＶＳ）、セクションデータ（Ｓ）はそれぞれ別々にデコード（復号）処理される（０３０４）。図３に示した処理のうち、第一処理ブロック（０１０１）にて実行される処理は、主に、放送信号の受信（０３０１）、復調等の処理（０３０２）、ＴＳ分離（０３０３）、さらにセクションデータ（Ｓ）のデコード処理（０３０４）を想定している。また、第二処理ブロック（０１０２）にて実行される処理は、主に、オーディオストリーム（ＡＳ）、ビデオストリーム（ＶＳ）のデコード処理（０３０４）を想定している。すなわち、第一処理ブロックにおける処理によって番組情報等を含むセクションデータがデコードされ番組情報等を得ることができ、第二処理ブロックにおける処理によってオーディオストリームやビデオストリームがデコードされ映像データや音声データを得ることができる。
【００１１】
「状態検出部」（０１０３）は、機器の状態が視聴可能状態か視聴不能状態かを検出する機能を有する。「機器」とは、デジタル放送受信装置（０１００）を指す。「機器の状態」とは、具体的には、例えば、デジタル放送受信装置の形状や、電源がＯＮとなっている等の内部状態などを意味する。例えば、「機器の状態」がデジタル放送受信装置の形状を指す場合であって、デジタル放送受信装置が折り畳み式の携帯電話であり、使用しない時には折り畳んだ状態でありテレビを視聴する時には開いた状態にしなければならない場合であれば、「機器の状態が視聴可能状態か視聴不能状態か」とは、デジタル放送受信装置の形状が開いた状態であるか折り畳んだ状態であるかにより判断できることになる。すなわち、デジタル放送受信装置の形状が開いた状態であれば「機器の状態が視聴可能状態」であり、折り畳んだ状態であれば「機器の状態が視聴不能状態」であることになる。より具体的には、状態検出部は、例えば、「ｓｔａｔｅ＝"ｐｏｓｓｉｂｌｅ"」というような情報を受け取る。ここで、「ｓｔａｔｅ」とは機器の状態を示すプログラム上の変数であり、この変数が「ｐｏｓｓｉｂｌｅ」であれば機器の状態が視聴可能状態であることを、「ｉｍｐｏｓｓｉｂｌｅ」であれば機器の状態が視聴不能状態であることを示すとする。つまり、状態検出部は、ＲＡＭやＨＤＤ等の所定の記憶領域に保持されている「ｓｔａｔｅ」の値を読出すことによって機器の状態を検出することができる。なお、状態検出部は、このような処理をＣＰＵに実行させるためのプログラムを含んでいてもよい。
【００１２】
「視聴操作部」（０１０４）は、状態検出部（０１０３）での検出結果が視聴可能状態である場合に視聴操作を受け付けるための機能を有する。「状態検出部での検出結果が視聴可能状態である」とは、具体的には、例えば、前述の変数ｓｔａｔｅの値が「ｐｏｓｓｉｂｌｅ」であることを意味する。「視聴操作を受け付ける」とは、例えば、ユーザが視聴開始のためのボタンを押下する場合等が該当する。より具体的には、例えば、「ｓｉｇｎａｌ＝"ｖｉｅｗ＿ｂｕｔｔｏｎ"」というような情報を受け取る。ここで、「ｓｉｇｎａｌ」とはユーザからの操作信号を示すプログラム上の変数であり、「ｓｉｇｎａｌ＝"ｖｉｅｗ＿ｂｕｔｔｏｎ"」とは、視聴用ボタンが押下されたことを示すとする。つまり、視聴操作部は、ＲＡＭやＨＤＤ等の所定の記憶領域に保持されている「ｓｉｇｎａｌ」の値が変更されたことをトリガーとしてユーザから視聴操作が行なわれたことを判断することができる。視聴操作部の具体的な処理としては、まず、ＲＡＭやＨＤＤ等の所定の記憶領域に保持されている変数ｓｔａｔｅの値を読出す。この値が「ｐｏｓｓｉｂｌｅ」であれば、さらに所定の記憶領域に保持されている変数ｓｉｇｎａｌの値が変更されることを監視し、変更された場合には変数ｓｉｇｎａｌの値を読出す。なお、この値が「ｖｉｅｗ＿ｂｕｔｔｏｎ」であれば視聴操作がなされたと判断する。また、視聴操作部は、このような処理をＣＰＵに実行させるためのプログラムを含んでいてもよい。
【００１３】
「制御部」（０１０５）は、状態検出部（０１０３）での検出結果が視聴可能状態となり、視聴操作部（０１０４）が視聴操作を未だ受け付けていない場合に第一処理ブロックに電源を供給し、第二処理ブロックに電源を供給しない制御を行なう機能を有する。「状態検出部での検出結果が視聴可能状態となり」とは、具体的には、例えば、前述の変数ｓｔａｔｅの値が「ｐｏｓｓｉｂｌｅ」となったことを意味する。「視聴操作部が視聴操作を未だ受け付けていない場合」とは、例えば、前述の変数ｓｉｇｎａｌの値が「ｖｉｅｗ＿ｂｕｔｔｏｎ」となっていないことを意味する。すなわち、制御部の具体的な処理としては、例えば、まずＲＡＭやＨＤＤ等の所定の記憶領域に保持されている変数ｓｔａｔｅの値を読出す。この値が「ｐｏｓｓｉｂｌｅ」であって、さらに、所定の記憶領域に保持されている変数ｓｉｇｎａｌの値が変更されない、もしくは変更されたことをトリガーとして変数ｓｉｇｎａｌの値を読出してこの値が「ｖｉｅｗ＿ｂｕｔｔｏｎ」以外の値であれば、視聴操作を受け付けていないと判断し、第一処理ブロックに電源を供給し、第二処理ブロックに電源を供給しない。なお、制御部は、このような処理をＣＰＵに実行させるためのプログラムを含んでいてもよい。
【００１４】
（実施形態１：処理の流れ）図４は、本実施形態に係るデジタル放送受信装置における処理の流れを示すフロー図を例示する。最初に、機器の状態の検出を行なう。この処理は、主に状態検出部によって実行される（ステップＳ０４０１）。次に、ステップＳ０４０１にて検出した機器の状態が視聴可能状態であるか判断する。ここでの判断が視聴可能状態であるとの判断であった場合には、ステップＳ０４０３に移行する。ここでの判断が視聴可能状態ではないとの判断であった場合には、ステップＳ０４０１に戻る。この処理は、主に状態検出部によって実行される（ステップＳ０４０２）。次に、ステップＳ０４０２における判断が視聴可能状態であるとの判断であった場合には、視聴操作の受け付けを開始する。この処理は、主に視聴操作部によって実行される（ステップＳ０４０３）。次に、視聴操作を受け付けたか判断する。ここでの判断が受け付けたとの判断であった場合には、処理を終了する。ここでの判断が受け付けていないとの判断であった場合には、ステップＳ０４０５に移行する。この処理は、主に制御部によって実行される（ステップＳ０４０４）。次に、ステップＳ０４０４における判断が受け付けていないとの判断であった場合には、第一処理ブロックに電源を供給し、第二処理ブロックに電源を供給しない制御を実行する。この処理は、主に制御部によって実行される（ステップＳ０４０５）。最後に、ステップＳ０４０５にて電源供給がなされた第一処理ブロックにおいてデジタル放送信号の処理を行なう。この処理は、主に第一処理ブロックによって実行される（ステップＳ０４０６）。
【００１５】
（実施形態１：効果）本実施形態に係るデジタル放送受信装置においては、自身の状態が視聴可能状態となり、未だ視聴操作が行なわれない場合には、第一処理ブロックに電源を供給し、第二処理ブロックには電源を供給しないことによって、バッテリーの消費を抑えつつデジタル信号に関して必要な処理のみを行なうことができる。
（実施形態２）
【００１６】
（実施形態２：概要）本実施形態は、前記第一処理ブロックが、チューナ部と、ＴＳ分離部と、ＥＩＴ解析部の少なくとも一を含み、前記第二処理ブロックが、デコード部を含むデジタル放送受信装置に関する。
【００１７】
（実施形態２：構成）本実施形態に係るデジタル放送受信装置の機能ブロックを図５に例示する。本実施形態に係るデジタル放送受信装置の構成は、実施形態１に係るデジタル放送受信装置の構成に「チューナ部」（０５０６）と、「ＴＳ分離部」（０５０７）と、「ＥＩＴ解析部」（０５０８）の少なくとも一の部と、「デコード部」（０５０９）を加えた構成である。デジタル放送受信装置（０５００）は、「第一処理ブロック」（０５０１）と、「第二処理ブロック」（０５０２）と、「状態検出部」（０５０３）と、「視聴操作部」（０５０４）と、「制御部」（０５０５）と、を有する。また、前記第一処理ブロック（０５０１）は、「チューナ部」（０５０６）と、「ＴＳ分離部」（０５０７）と、「ＥＩＴ解析部」（０５０８）の少なくとも一を含む。また、前記第二処理ブロック（０５０２）は、「デコード部」（０５０９）を含む。なお、図６は、前記第一処理ブロックと前記第二処理ブロックに含まれる各部の構成例を示す。アンテナにて受信された放送信号は、まず、第一処理ブロックに含まれるチューナ部にて処理され、その後、ＴＳ分離部、ＥＩＴ解析部の順に処理される。また、ＴＳ分離部での処理後は、第二処理ブロックに含まれるデコード部においても処理が行なわれる。
【００１８】
「チューナ部」（０５０６）は、デジタル放送信号を受信する機能を有する。さらに、受信した放送波を復調してＴＳに変換する。すなわち、主に、図３における放送信号受信（０３０１）と復調（０３０２）の処理を実行する。
【００１９】
「ＴＳ分離部」（０５０７）は、前記チューナ部（０５０６）にて出力されたＴＳをオーディオストリーム、ビデオストリーム、番組情報等を含むセクションデータに分離する。すなわち、主に、図３におけるＴＳ分離（０３０３）の処理を実行する。
【００２０】
「ＥＩＴ解析部」（０５０８）は、前記ＴＳ分離部（０５０７）にてＴＳを分離して得られたセクションデータをデコードし、含まれているＥＩＴを解析する。すなわち、主に、図３におけるセクションデータの復号（０３０４）の処理を実行する。
【００２１】
「デコード部」（０５０９）は、前記ＴＳ分離部（０５０７）にてＴＳを分離して得られたオーディオストリーム、ビデオストリームをデコードする。すなわち、主に、図３におけるオーディオストリーム、ビデオストリームの復号（０３０４）の処理を実行する。
【００２２】
また、前記第一処理ブロックは、前記チューナ部（０５０６）と、前記ＴＳ分離部（０５０７）と、前記ＥＩＴ解析部（０５０８）の少なくとも一を含み、前記第二処理ブロックは、前記デコード部（０５０９）を含む。よって、制御部（０５０５）にて第一処理ブロックに電源が供給され第二処理ブロックに電源が供給されないとは、すなわち、ＥＩＴ解析に関係する機能を動作可能とすることであり、映像データや音声データのデコードに関係する機能を動作不可としておくことである。
【００２３】
（実施形態２：処理の流れ）図７は、本実施形態に係るデジタル放送受信装置における処理の流れを示すフロー図を例示する。最初に、機器の状態の検出を行なう。この処理は、主に状態検出部によって実行される（ステップＳ０７０１）。次に、ステップＳ０７０１にて検出した機器の状態が視聴可能状態であるか判断する。ここでの判断が視聴可能状態であるとの判断であった場合には、ステップＳ０７０３に移行する。ここでの判断が視聴可能状態ではないとの判断であった場合には、ステップＳ０７０１に戻る。この処理は、主に状態検出部によって実行される（ステップＳ０７０２）。次に、ステップＳ０７０２における判断が視聴可能状態であるとの判断であった場合には、視聴操作の受け付けを開始する。この処理は、主に視聴操作部によって実行される（ステップＳ０７０３）。次に、視聴操作を受け付けたか判断する。ここでの判断が受け付けたとの判断であった場合には、処理を終了する。ここでの判断が受け付けていないとの判断であった場合には、ステップＳ０７０５に移行する。この処理は、主に制御部によって実行される（ステップＳ０７０４）。次に、ステップＳ０７０４における判断が受け付けていないとの判断であった場合には、第一処理ブロックに電源を供給し、第二処理ブロックに電源を供給しない制御を実行する。この処理は、主に制御部によって実行される（ステップＳ０７０５）。次に、ステップＳ０７０５にて電源供給がなされた第一処理ブロックにおいてデジタル放送信号を受信しＴＳに変換する。この処理は、主にチューナ部によって実行される（ステップＳ０７０６）。次に、ステップＳ０７０６にて変換されたＴＳの分離処理を行なう。この処理は、主にＴＳ分離部によって実行される（ステップＳ０７０７）。最後に、ステップＳ０７０７にて分離されたセクションデータをデコードし含まれているＥＩＴを解析する。この処理は、主にＥＩＴ解析部によって実行される（ステップＳ０７０８）。
【００２４】
（実施形態２：効果）本実施形態に係るデジタル放送受信装置においては、自身の状態が視聴可能状態となり、かつ視聴操作が行なわれない場合には、ＥＩＴ解析に関係する機能を動作可能とし、映像データや音声データのデコードに関係する機能を動作不可としておくことができるため、余計なバッテリー消費を抑えることができる。
（実施形態３）
【００２５】
（実施形態３：概要）本実施形態は、デジタル放送受信装置の状態が視聴可能状態であり、かつ視聴操作がなされていない場合に、番組情報を得ることが可能であるデジタル放送受信装置に関する。
【００２６】
（実施形態３：構成）本実施形態に係るデジタル放送受信装置の機能ブロックを図８に例示する。本実施形態に係るデジタル放送受信装置の構成は、実施形態２に係るデジタル放送受信装置の構成に「番組情報出力手段」（０８１０）を加えた構成である。デジタル放送受信装置（０８００）は、「第一処理ブロック」（０８０１）と、「第二処理ブロック」（０８０２）と、「状態検出部」（０８０３）と、「視聴操作部」（０８０４）と、「制御部」（０８０５）と、を有する。また、前記第一処理ブロック（０８０１）は、「チューナ部」（０８０６）と、「ＴＳ分離部」（０８０７）と、「ＥＩＴ解析部」（０８０８）の少なくとも一を含む。また、前記第二処理ブロック（０８０２）は、「デコード部」（０８０９）を含む。また、前記ＥＩＴ解析部（０８０８）は、「番組情報出力手段」（０８１０）を有する。
【００２７】
「番組情報出力手段」（０８１０）は、解析結果に基づいて番組情報を出力するための処理を実行するための機能を有する。「解析結果」とは、前記ＥＩＴ解析部（０８０８）におけるＥＩＴの解析の結果を指す。すなわち、「解析結果」は、具体的にはＥＩＴに含まれる番組に関する情報全般が該当する。「番組情報」とは、ＥＩＴに含まれる情報に基づいて構成され、具体的には、図９に例示するような番組名、番組開始時刻、番組継続時間、番組内容、等の情報を含む。番組情報出力手段は、具体的には、例えば、ＲＡＭやＨＤＤ等の所定の記憶領域に保持されているＥＩＴの解析結果を読出し、解析結果に含まれている情報を組み合わせて一つの番組情報として、ＲＡＭやＨＤＤ等の所定の記憶領域に格納することにより実現される。また、さらに番組情報はディスプレイ等にてテレビ番組表のように表示されてもよい。なお、番組情報出力手段は、このような処理をＣＰＵに実行させるためのプログラムを含んでいてもよい。
【００２８】
（実施形態３：処理の流れ）図１０は、本実施形態に係るデジタル放送受信装置における処理の流れを示すフロー図を例示する。最初に、機器の状態の検出を行なう。この処理は、主に状態検出部によって実行される（ステップＳ１００１）。次に、ステップＳ１００１にて検出した機器の状態が視聴可能状態であるか判断する。ここでの判断が視聴可能状態であるとの判断であった場合には、ステップＳ１００３に移行する。ここでの判断が視聴可能状態ではないとの判断であった場合には、ステップＳ１００１に戻る。この処理は、主に状態検出部によって実行される（ステップＳ１００２）。次に、ステップＳ１００２における判断が視聴可能状態であるとの判断であった場合には、視聴操作の受け付けを開始する。この処理は、主に視聴操作部によって実行される（ステップＳ１００３）。次に、視聴操作を受け付けたか判断する。ここでの判断が受け付けたとの判断であった場合には、処理を終了する。ここでの判断が受け付けていないとの判断であった場合には、ステップＳ１００５に移行する。この処理は、主に制御部によって実行される（ステップＳ１００４）。次に、ステップＳ１００４における判断が受け付けていないとの判断であった場合には、第一処理ブロックに電源を供給し、第二処理ブロックに電源を供給しない制御を実行する。この処理は、主に制御部によって実行される（ステップＳ１００５）。次に、ステップＳ１００５にて電源供給がなされた第一処理ブロックにおいてデジタル放送信号を受信しＴＳに変換する。この処理は、主にチューナ部によって実行される（ステップＳ１００６）。次に、ステップＳ１００６にて変換されたＴＳの分離処理を行なう。この処理は、主にＴＳ分離部によって実行される（ステップＳ１００７）。次に、ステップＳ１００７にて分離されたセクションデータをデコードし含まれているＥＩＴを解析する。この処理は、主にＥＩＴ解析部によって実行される（ステップＳ１００８）。最後に、ステップＳ１００８にて解析された解析結果に基づいて番組情報を出力する。この処理は、主に番組情報出力手段によって実行される（ステップＳ１００９）。
【００２９】
（実施形態３：効果）本実施形態に係るデジタル放送受信装置においては、ＥＩＴの解析結果に基づいて番組情報を出力することができるため、ユーザがテレビ放送を視聴する前に番組情報を提供することができる。
（実施形態４）
【００３０】
（実施形態４：概要）本実施形態は、デジタル放送受信装置の状態が視聴可能状態となった後にテレビ視聴以外の機能が利用される等により、一定時間内に視聴操作が行なわれない場合には、第一処理ブロックへの電源供給を中止することによって、余計なバッテリー消費を抑えるように構成されたデジタル放送受信装置に関する。
【００３１】
（実施形態４：構成）本実施形態に係るデジタル放送受信装置の機能ブロックを図１１に例示する。本実施形態に係るデジタル放送受信装置の構成は、実施形態１から３のいずれか一に係るデジタル放送受信装置の構成に「電源供給中止手段」（１１１１）を加えた構成である。図１１においては、実施形態３に係るデジタル放送受信装置の構成に前記電源供給中止手段（１１１１）を加えた構成を例示している。デジタル放送受信装置（１１００）は、「第一処理ブロック」（１１０１）と、「第二処理ブロック」（１１０２）と、「状態検出部」（１１０３）と、「視聴操作部」（１１０４）と、「制御部」（１１０５）と、を有する。また、前記第一処理ブロック（１１０１）は、「チューナ部」（１１０６）と、「ＴＳ分離部」（１１０７）と、「ＥＩＴ解析部」（１１０８）の少なくとも一を含む。また、前記第二処理ブロック（１１０２）は、「デコード部」（１１０９）を含む。また、前記制御部（１１０５）は、「電源供給中止手段」（１１１１）を有する。また、前記ＥＩＴ解析部（１１０８）は、「番組情報出力手段」（１１１０）を有する。
【００３２】
「電源供給中止手段」（１１１１）は、状態検出部（１１０３）での検出結果が視聴可能状態となった後、一定時間内に視聴操作部（１１０４）が視聴操作を受け付けない場合には、第一処理ブロック（１１０１）への電源供給を中止する機能を有する。例えば、テレビ視聴以外の機能を有する携帯電話などの端末においては、機器の状態が視聴可能状態となっても、その後ユーザがメールの送受信や通話などの機能を使用する場合もあり、必ずしもテレビ視聴を行なうとは限らない。よって、一定時間内に視聴操作がなされない場合には、第一処理ブロックへの電源供給を中止することにより、余計なバッテリー消費を抑えることができる。また、第一処理ブロックへの電源供給を中止するタイミングとしては、ＥＩＴ解析や番組情報の出力等の処理が行なわれている途中であっても中止するようになっていてもよいし、処理が終了するのを待ってから中止するようになっていてもよい。電源供給中止手段の具体的な処理としては、例えば、ＲＡＭやＨＤＤ等の所定の記憶領域に保持されている変数ｓｔａｔｅの値を読出す。この値が「ｐｏｓｓｉｂｌｅ」であって、さらに所定の記憶領域に保持されている変数ｓｉｇｎａｌの値が変更されない、もしくは変更されたことをトリガーとして変数ｓｉｇｎａｌの値を読出してこの値が「ｖｉｅｗ＿ｂｕｔｔｏｎ」以外の値であれば、視聴操作を受け付けていないと判断し、第一処理ブロックに電源を供給し、第二処理ブロックに電源を供給しない。また、この時点で時間をカウントするためのタイマーを、初期値を０として起動させる。このタイマーの値を随時読出し、読出したタイマーの値と予め決められた値（１００、２００など）が等しいかどうかを判断し、等しい場合には（一定時間が経過したことになるため）トリガーを引く。また、このトリガーが引かれるまで、変数ｓｉｇｎａｌの値が変更されたことをトリガーとして変数ｓｉｇｎａｌの値を読出しチェックすることを繰り返し、この値が「ｖｉｅｗ＿ｂｕｔｔｏｎ」の値とならなかった場合には、第一処理ブロックへの電源供給を中止する。なお、電源供給中止手段は、このような処理をＣＰＵに実行させるためのプログラムを含んでいてもよい。
【００３３】
（実施形態４：処理の流れ）図１２は、本実施形態に係るデジタル放送受信装置における処理の流れを示すフロー図を例示する。なお、図１２においては、第一処理ブロックへの電源供給を中止するタイミングとして、番組情報の出力が終了した後に限定した場合を例示する。最初に、機器の状態の検出を行なう。この処理は、主に状態検出部によって実行される（ステップＳ１２０１）。次に、ステップＳ１２０１にて検出した機器の状態が視聴可能状態であるか判断する。ここでの判断が視聴可能状態であるとの判断であった場合には、ステップＳ１２０３に移行する。ここでの判断が視聴可能状態ではないとの判断であった場合には、ステップＳ１２０１に戻る。この処理は、主に状態検出部によって実行される（ステップＳ１２０２）。次に、ステップＳ１２０２における判断が視聴可能状態であるとの判断であった場合には、視聴操作の受け付けを開始する。この処理は、主に視聴操作部によって実行される（ステップＳ１２０３）。次に、視聴操作を受け付けたか判断する。ここでの判断が受け付けたとの判断であった場合には、処理を終了する。ここでの判断が受け付けていないとの判断であった場合には、ステップＳ１２０５に移行する。この処理は、主に制御部によって実行される（ステップＳ１２０４）。次に、ステップＳ１２０４における判断が受け付けていないとの判断であった場合には、第一処理ブロックに電源を供給し、第二処理ブロックに電源を供給しない制御を実行する。この処理は、主に制御部によって実行される（ステップＳ１２０５）。次に、ステップＳ１２０５にて電源供給がなされた第一処理ブロックにおいてデジタル放送信号を受信しＴＳに変換する。この処理は、主にチューナ部によって実行される（ステップＳ１２０６）。次に、ステップＳ１２０６にて変換されたＴＳの分離処理を行なう。この処理は、主にＴＳ分離部によって実行される（ステップＳ１２０７）。次に、ステップＳ１２０７にて分離されたセクションデータをデコードし含まれているＥＩＴを解析する。この処理は、主にＥＩＴ解析部によって実行される（ステップＳ１２０８）。次に、ステップＳ１２０８にて解析された解析結果に基づいて番組情報を出力する。この処理は、主に番組情報出力手段によって実行される（ステップＳ１２０９）。次に、一定時間が経過したかを判断する。ここでの判断が経過したとの判断であった場合には、ステップＳ１２１２に移行する。ここでの判断が経過していないとの判断であった場合には、ステップＳ１２１１に移行する。この処理は、主に電源供給中止手段によって実行される（ステップＳ１２１０）。ステップＳ１２１０における判断が経過したとの判断であった場合には、視聴操作を受け付けたか判断する。ここでの判断が受け付けたとの判断であった場合には、処理を終了する。ここでの判断が受け付けていないとの判断であった場合には、ステップＳ１２１０に移行する。この処理は、主に電源供給中止手段によって実行される（ステップＳ１２１１）。最後に、ステップＳ１２１０における判断が経過したとの判断であった場合には、第一処理ブロックへの電源供給を中止する。この処理は、主に電源供給中止手段によって実行される（ステップＳ１２１２）。
【００３４】
（実施形態４：効果）本実施形態に係るデジタル放送受信装置においては、特にテレビ視聴以外の機能を備えたデジタル放送受信装置の場合等に、デジタル放送受信装置の状態が視聴可能状態となった後、ユーザが他の機能を使用した場合等に第一処理ブロックへの電源供給を中止することができるため、余計なバッテリー消費を抑えることができる。
（実施形態５）
【００３５】
（実施形態５：概要）本実施形態は、番組情報出力手段にて番組情報を出力するための処理を実行するに際してチューナ部に対し選択すべきデジタル放送信号チャンネルの選択優先順位を決定するデジタル放送受信装置に関する。
【００３６】
（実施形態５：構成）本実施形態に係るデジタル放送受信装置の機能ブロックを図１３に例示する。本実施形態に係るデジタル放送受信装置の構成は、実施形態３に係るデジタル放送受信装置の構成に「優先順位決定手段」（１３１２）を加えた構成である。デジタル放送受信装置（１３００）は、「第一処理ブロック」（１３０１）と、「第二処理ブロック」（１３０２）と、「状態検出部」（１３０３）と、「視聴操作部」（１３０４）と、「制御部」（１３０５）と、を有する。また、前記第一処理ブロック（１３０１）は、「チューナ部」（１３０６）と、「ＴＳ分離部」（１３０７）と、「ＥＩＴ解析部」（１３０８）の少なくとも一を含む。また、前記第二処理ブロック（１３０２）は、「デコード部」（１３０９）を含む。また、前記制御部（１３０５）は、「優先順位決定手段」（１３１２）を有する。また、前記ＥＩＴ解析部（１３０８）は、「番組情報出力手段」（１３１０）を有する。
【００３７】
「優先順位決定手段」（１３１２）は、前記番組情報出力手段（１３１０）にて番組情報を出力するための処理を実行するに際してチューナ部（１３０６）に対し選択すべきデジタル放送信号チャンネルの選択優先順位を決定する機能を有する。前記チューナ部（１３０６）においては、デジタル放送信号を受信する放送局にチャンネルを設定してデジタル放送信号を受信する。よって、デジタル放送信号を受信するチャンネルに優先順位をつけることにより、優先順位の高いチャンネルから順番にデジタル放送信号を受信する等が可能である。優先順位の決定方法は様々に考えられるが、例えば、予めデジタル放送受信装置に設定されていて不変となっていてもよいし、ユーザの視聴履歴等を利用してユーザが頻繁に視聴するチャンネルの優先順位が高くなるようになっていてもよいし、ユーザが任意で設定した優先順位に基づいて決定するようになっていてもよい。優先順位決定手段は、さらに具体的には、例えば、ＲＡＭやＨＤＤ等の所定の記憶領域に格納されている優先順位を示す情報を読出し、読出した情報をチューナ部に対して出力等することにより実現される。「優先順位を示す情報」とは、例えば、優先順位の高い順にチャンネルを並べた情報等である。なお、このような処理をＣＰＵに実行させるためのプログラムを含んでいてもよい。
【００３８】
（実施形態５：処理の流れ）図１４は、本実施形態に係るデジタル放送受信装置における処理の流れを示すフロー図を例示する。最初に、機器の状態の検出を行なう。この処理は、主に状態検出部によって実行される（ステップＳ１４０１）。次に、ステップＳ１４０１にて検出した機器の状態が視聴可能状態であるか判断する。ここでの判断が視聴可能状態であるとの判断であった場合には、ステップＳ１４０３に移行する。ここでの判断が視聴可能状態ではないとの判断であった場合には、ステップＳ１４０１に戻る。この処理は、主に状態検出部によって実行される（ステップＳ１４０２）。次に、ステップＳ１４０２における判断が視聴可能状態であるとの判断であった場合には、視聴操作の受け付けを開始する。この処理は、主に視聴操作部によって実行される（ステップＳ１４０３）。次に、視聴操作を受け付けたか判断する。ここでの判断が受け付けたとの判断であった場合には、処理を終了する。ここでの判断が受け付けていないとの判断であった場合には、ステップＳ１４０５に移行する。この処理は、主に制御部によって実行される（ステップＳ１４０４）。次に、ステップＳ１４０４における判断が受け付けていないとの判断であった場合には、第一処理ブロックに電源を供給し、第二処理ブロックに電源を供給しない制御を実行する。この処理は、主に制御部によって実行される（ステップＳ１４０５）。次に、チューナ部に対し選択すべきデジタル放送信号チャンネルの選択優先順位を決定する。この処理は、主に優先順位決定手段によって実行される（ステップＳ１４０６）。次に、ステップＳ１４０５にて電源供給がなされた第一処理ブロックにおいて、ステップＳ１４０６にて決定された優先順位に基づいて、チャンネルのデジタル放送信号を受信しＴＳに変換する。この処理は、主にチューナ部によって実行される（ステップＳ１４０７）。次に、ステップＳ１４０７にて変換されたＴＳの分離処理を行なう。この処理は、主にＴＳ分離部によって実行される（ステップＳ１４０８）。次に、ステップＳ１４０８にて分離されたセクションデータをデコードし含まれているＥＩＴを解析する。この処理は、主にＥＩＴ解析部によって実行される（ステップＳ１４０９）。最後に、ステップＳ１４０９にて解析された解析結果に基づいて番組情報を出力する。この処理は、主に番組情報出力手段によって実行される（ステップＳ１４１０）。
【００３９】
（実施形態５：効果）本実施形態に係るデジタル放送受信装置においては、チューナ部に対し選択すべきデジタル放送信号チャンネルの選択優先順位を決定することができるので、例えば、ユーザが頻繁に利用しているチャンネルの番組情報を先に受信する等が可能である。
（実施形態６）
【００４０】
（実施形態６：概要）本実施形態は、ユーザの視聴履歴に基づいてデジタル放送信号チャンネルの選択優先順位を決定するデジタル放送受信装置に関する。
【００４１】
（実施形態６：構成）本実施形態に係るデジタル放送受信装置の機能ブロックを図１５に例示する。本実施形態に係るデジタル放送受信装置の構成は、実施形態５に係るデジタル放送受信装置の構成に「視聴履歴保持部」（１５１３）と「視聴履歴依存決定器」（１５１４）を加えた構成である。デジタル放送受信装置（１５００）は、「第一処理ブロック」（１５０１）と、「第二処理ブロック」（１５０２）と、「状態検出部」（１５０３）と、「視聴操作部」（１５０４）と、「制御部」（１５０５）と、「視聴履歴保持部」（１５１３）と、を有する。また、前記第一処理ブロック（１５０１）は、「チューナ部」（１５０６）と、「ＴＳ分離部」（１５０７）と、「ＥＩＴ解析部」（１５０８）の少なくとも一を含む。また、前記第二処理ブロック（１５０２）は、「デコード部」（１５０９）を含む。また、前記制御部（１５０５）は、「優先順位決定手段」（１５１２）を有する。また、前記優先順位決定手段（１５１２）は、「視聴履歴依存決定器」（１５１４）を有する。また、前記ＥＩＴ解析部（１５０８）は、「番組情報出力手段」（１５１０）を有する。
【００４２】
「視聴履歴保持部」（１５１３）は、デジタル放送信号の視聴履歴を保持する機能を有する。図１６は、視聴履歴保持部の具体例を示す。図１６においては、視聴履歴保持部が視聴履歴ＤＢというデータベースにて実現されている場合を示している。また、視聴履歴ＤＢは、「ＩＤ」、「チャンネル」から構成される視聴履歴テーブルを保持している。例えば、ユーザがチャンネルを切り換える度に、「ｉｎｓｅｒｔ  ｉｎｔｏ  視聴履歴  （チャンネル）  ｖａｌｕｅｓ  （’１０ＣＨ’）」というようなＳＱＬクエリーのｉｎｓｅｒｔ文が実行され、ユーザが切り換えたチャンネルの情報が視聴履歴テーブルに挿入されていく。「ＩＤ」は、ｉｎｓｅｒｔ文が実行されると自動的にインクリメントされて入力される。また、単に見たい番組を探すためにチャンネルを切り換える場合等もあるため、例えば、チャンネルを切り換えてから一定時間が経過した場合にのみ、ユーザの意志により視聴されていると判断してｉｎｓｅｒｔ文を実行する等となっていてもよい。視聴履歴保持部の具体的な処理としては、例えば、前記チューナ部（１５０６）にてチャンネルが切り換えられたことをトリガーとして、ＨＤＤ等の所定の記憶領域に保持されているデータベースに対してｉｎｓｅｒｔ文を実行し、新しいデータが挿入されたデータベースを所定の記憶領域に格納する。なお、視聴履歴保持部は、このような処理をＣＰＵに実行させるためのプログラムを含んでいてもよい。
【００４３】
「視聴履歴依存決定器」（１５１４）は、前記視聴履歴保持部（１５１３）にて保持されている視聴履歴に基づいて選択優先順位を決定する機能を有する。図１７は、視聴履歴依存決定器の具体例を示す。一例として、切り換えられた回数が一番多い順番に優先順位を付ける場合を示す。視聴履歴保持部（１７１０）に保持されている視聴履歴は、図１６に例示したものと同様とする。視聴履歴依存決定器（１７２０）は、視聴履歴保持部（１７１０）に保持されている視聴履歴テーブルに対して、例えば、「ｓｅｌｅｃｔ  チャンネル  ｆｒｏｍ  視聴履歴  ｇｒｏｕｐ  ｂｙ  チャンネル  ｏｒｄｅｒ  ｂｙ  ｃｏｕｎｔ（チャンネル）  ｄｅｓｃ」というようなＳＱＬクエリーのｓｅｌｅｃｔ文が実行され、実行結果として、視聴履歴テーブルに保持されている数の多い順にチャンネルを並べたデータが取得される。視聴履歴依存決定器の具体的な処理としては、例えば、ＨＤＤ等の所定の記憶領域に保持されているデータベースに対して上述のようなｓｅｌｅｃｔ文を実行し、実行結果のデータを所定の記憶領域に格納する。なお、視聴履歴依存決定器は、このような処理をＣＰＵに実行させるためのプログラムを含んでいてもよい。
【００４４】
（実施形態６：処理の流れ）本実施形態に係るデジタル放送受信装置における処理の流れは、実施形態５に係るデジタル放送受信装置における処理の流れと同様である。ただし、デジタル放送信号の視聴履歴を保持する処理を随時実行し、さらに、ステップＳ１４０６にてチューナ部に対し選択すべきデジタル放送信号チャンネルの選択優先順位を決定する際に、保持されている視聴履歴に基づいて選択優先順位を決定することを特徴とする。なお、この処理は、主に視聴履歴依存決定器によって実行される。
【００４５】
（実施形態６：効果）本実施形態に係るデジタル放送受信装置においては、ユーザの視聴履歴に基づいてチューナ部に対し選択すべきデジタル放送信号チャンネルの選択優先順位を決定することができるので、ユーザがより必要とするであろうチャンネルの番組情報を先に受信する等が可能である。
（実施形態７）
【００４６】
（実施形態７：概要）本実施形態は、時刻と関連付けられたユーザの視聴履歴に基づいてデジタル放送信号チャンネルの選択優先順位を決定するデジタル放送受信装置に関する。
【００４７】
（実施形態７：構成）本実施形態に係るデジタル放送受信装置の機能ブロックを図１８に例示する。本実施形態に係るデジタル放送受信装置の構成は、実施形態６に係るデジタル放送受信装置の構成に「時計部」（１８１５）と「時刻付視聴履歴保持手段」（１８１６）と「時刻依存決定器」（１８１７）を加えた構成である。デジタル放送受信装置（１８００）は、「第一処理ブロック」（１８０１）と、「第二処理ブロック」（１８０２）と、「状態検出部」（１８０３）と、「視聴操作部」（１８０４）と、「制御部」（１８０５）と、「視聴履歴保持部」（１８１３）と、「時計部」（１８１５）と、を有する。また、前記第一処理ブロック（１８０１）は、「チューナ部」（１８０６）と、「ＴＳ分離部」（１８０７）と、「ＥＩＴ解析部」（１８０８）の少なくとも一を含む。また、前記第二処理ブロック（１８０２）は、「デコード部」（１８０９）を含む。また、前記制御部（１８０５）は、「優先順位決定手段」（１８１２）を有する。また、前記優先順位決定手段（１８１２）は、「視聴履歴依存決定器」（１８１４）と「時刻依存決定器」（１８１７）を有する。また、前記ＥＩＴ解析部（１８０８）は、「番組情報出力手段」（１８１０）を有する。また、前記視聴履歴保持部（１８１３）は、「時刻付視聴履歴保持手段」（１８１６）を有する。
【００４８】
「時計部」（１８１５）は、主に現在時刻を保持する機能を有する。
【００４９】
「時刻付視聴履歴保持手段」（１８１６）は、デジタル放送信号の視聴履歴を時刻と関連付けて保持する機能を有する。「時刻」とは、ユーザが放送信号を受信すると同時に放送を視聴する場合には主に放送時刻が該当するが、例えば、放送信号を記録媒体に保存しておき後で放送を視聴する場合等は、実際に視聴した時刻等であってもよい。「時刻と関連付けて」とは、例えば、視聴開始時刻や視聴終了時刻等のような時刻に関する情報を含めて保持するという意味である。図１９においては、時刻付視聴履歴保持手段が時刻付視聴履歴ＤＢというデータベースにて実現されている場合を示している。また、時刻付視聴履歴ＤＢは、「視聴開始時刻」、「視聴時間」、「チャンネル」から構成される時刻付視聴履歴テーブルを保持している。「視聴開始時刻」は、各チャンネルにおいて視聴が開始された時刻を示し、例えば、前記チューナ部（１８０６）においてチャンネルが切り替わった際の時刻を前記時計部（１８１５）から取得することにより知ることができる。「視聴時間」は、各チャンネルにおいて視聴していた時間を示し、例えば、前記視聴開始時刻から、前記チューナ部（１８０６）においてチャンネルが切り替わった際の時刻までの差分により知ることができる。このような時刻付視聴履歴テーブルに対して、例えば、ユーザがチャンネルを切り換える度に、「ｉｎｓｅｒｔ  ｉｎｔｏ  視聴履歴  （視聴開始時刻，視聴時間，チャンネル）  ｖａｌｕｅｓ  （’１０：０５：１３’，’００：１３：２５’，’１０ＣＨ’）」というようなＳＱＬクエリーのｉｎｓｅｒｔ文が実行され、ユーザが視聴したチャンネルの情報が時刻付視聴履歴テーブルに挿入されていく。また、単に見たい番組を探すためにチャンネルを切り換える場合等もあるため、例えば、チャンネルを切り換えてから一定時間が経過した場合にのみ、ユーザの意志により視聴されていると判断してｉｎｓｅｒｔ文を実行する等となっていてもよい。時刻付視聴履歴保持手段の具体的な処理としては、例えば、前記チューナ部（１８０６）にてチャンネルが切り換えられたことをトリガーとして、前記時計部から現在時刻を取得し、視聴開始時刻としてＲＡＭやＨＤＤ等の所定の記憶領域に格納する。また、さらに前記チューナ部（１８０６）にてチャンネルが切り換えられたことをトリガーとして、前記時計部から現在時刻を取得し、所定の記憶領域に保持した視聴開始時刻との差分を視聴時間として、ＲＡＭやＨＤＤ等の所定の記憶領域に格納する。このように所定の記憶領域に格納した視聴開始時刻と視聴時間を読出してｉｎｓｅｒｔ文を作成し、ＨＤＤ等の所定の記憶領域に保持されているデータベースに対してｉｎｓｅｒｔ文を実行し、さらに新しいデータが挿入されたデータベースを所定の記憶領域に格納する。なお、時刻付視聴履歴保持手段は、このような処理をＣＰＵに実行させるためのプログラムを含んでいてもよい。
【００５０】
「時刻依存決定器」（１８１７）は、時計部（１８１５）から取得した現在時刻と、時刻付視聴履歴保持手段（１８１６）に保持されている視聴履歴と、に基づいて選択優先順位を決定する機能を有する。「時計部から取得した現在時刻と、時刻付視聴履歴保持手段に保持されている視聴履歴と、に基づいて」とは、例えば、視聴開始時刻や視聴終了時刻のように視聴履歴に含まれる情報のうち時刻が関連する情報と、現在時刻とを関連付けて選択優先順位を決定すること等を意味する。例えば、時刻付視聴履歴に保持されているデータのうち、視聴開始時刻が現在時刻の前後３０分以内に含まれるデータを対象として、切り換えられた回数が多い順番に優先順位を付ける場合等が該当する。現在時刻と視聴履歴との関連付け方は、予めデジタル放送受信装置に設定されていて不変となっていてもよいし、ユーザがその都度設定できる等となっていてもよい。図２０は、時刻依存決定器の具体例を示す。一例として、現在時刻が１０：３２：２０であることに基づいて、時刻付視聴履歴において視聴開始時刻が１０：００：００から１１：００：００までに含まれている履歴を対象として、切り換えられた回数が多い順番に優先順位を付ける場合を示す。時刻付視聴履歴保持手段（２０１０）に保持されている時刻付視聴履歴は、図１９に例示したものと同様とする。また、時計部（２０２０）における現在時刻が「１０：３２：２０」であるとする。時計部（２０２０）における現在時刻に基づいて、時刻依存決定器（２０３０）は、時刻付視聴履歴保持手段（２０１０）に保持されている時刻付視聴履歴テーブルに対して、例えば、「ｓｅｌｅｃｔ  チャンネル  ｆｒｏｍ  時刻付視聴履歴  ｗｈｅｒｅ  １０：００：００<＝視聴開始時刻<１１：００：００  ｇｒｏｕｐ  ｂｙ  チャンネル  ｏｒｄｅｒ  ｂｙ  ｃｏｕｎｔ（チャンネル）  ｄｅｓｃ」というようなＳＱＬクエリーのｓｅｌｅｃｔ文が実行され、実行結果として、時刻付視聴履歴テーブルにおいて視聴開始時刻が１０：００：００から１１：００：００までの間であって、保持されている数の多い順にチャンネルを並べたデータが取得される。時刻依存決定器の具体的な処理としては、例えば、前記時計部における現在時刻を取得し、取得した現在時刻に基づいて、優先順位を決定する対象とするチャンネルの視聴開始時刻等を決定し、決定した視聴開始時刻等の条件をＲＡＭやＨＤＤ等の所定の記憶領域に格納する。さらに、ＲＡＭやＨＤＤ等の所定の記憶領域から視聴開始時刻等の条件を読出してｓｅｌｅｃｔ文を作成し、ＨＤＤ等の所定の記憶領域に保持されているデータベースに対してｓｅｌｅｃｔ文を実行し、実行結果のデータを所定の記憶領域に格納する。なお、時刻依存決定器は、このような処理をＣＰＵに実行させるためのプログラムを含んでいてもよい。
【００５１】
（実施形態７：処理の流れ）本実施形態に係るデジタル放送受信装置における処理の流れは、実施形態６に係るデジタル放送受信装置における処理の流れと同様である。ただし、デジタル放送信号の視聴履歴を時刻と関連付けて保持する処理を随時実行し、さらに、チューナ部に対し選択すべきデジタル放送信号チャンネルの選択優先順位を決定する際に、現在時刻と保持されている時刻付視聴履歴とに基づいて選択優先順位を決定することを特徴とする。なお、この処理は、主に時計部と時刻依存決定器によって実行される。
【００５２】
（実施形態７：効果）本実施形態に係るデジタル放送受信装置においては、時刻と関連付けられたユーザの視聴履歴に基づいてチューナ部に対し選択すべきデジタル放送信号チャンネルの選択優先順位を決定することができるので、現在時刻を考慮して、ユーザがより必要とするであろうチャンネルの番組情報を先に受信する等が可能である。
（実施形態８）
【００５３】
（実施形態８：概要）本実施形態は、優先順位を定める情報である優先順位情報を入力し、入力された優先順位情報を保持する機能を有するデジタル放送受信装置に関する。例えば、ユーザが任意に優先順位を決定する等が可能である。
【００５４】
（実施形態８：構成）本実施形態に係るデジタル放送受信装置の機能ブロックを図２１に例示する。本実施形態に係るデジタル放送受信装置の構成は、実施形態５から７のいずれか一に係るデジタル放送受信装置の構成に「優先順位情報保持手段」（２１１８）と「入力手段」（２１１９）を加えた構成である。図２１においては、実施形態７に係るデジタル放送受信装置の構成に前記優先順位情報保持手段（２１１８）と前記入力手段（２１１９）を加えた構成を例示している。デジタル放送受信装置（２１００）は、「第一処理ブロック」（２１０１）と、「第二処理ブロック」（２１０２）と、「状態検出部」（２１０３）と、「視聴操作部」（２１０４）と、「制御部」（２１０５）と、「視聴履歴保持部」（２１１３）と、「時計部」（２１１５）と、を有する。また、前記第一処理ブロック（２１０１）は、「チューナ部」（２１０６）と、「ＴＳ分離部」（２１０７）と、「ＥＩＴ解析部」（２１０８）の少なくとも一を含む。また、前記第二処理ブロック（２１０２）は、「デコード部」（２１０９）を含む。また、前記制御部（２１０５）は、「優先順位決定手段」（２１１２）と「優先順位情報保持手段」（２１１８）と「入力手段」（２１１９）を有する。また、前記優先順位決定手段（２１１２）は、「視聴履歴依存決定器」（２１１４）と「時刻依存決定器」（２１１７）を有する。また、前記ＥＩＴ解析部（２１０８）は、「番組情報出力手段」（２１１０）を有する。また、前記視聴履歴保持部（２１１３）は、「時刻付視聴履歴保持手段」（２１１６）を有する。
【００５５】
「優先順位情報保持手段」（２１１８）は、優先順位決定手段（２１１２）が決定すべき優先順位を定める情報である優先順位情報を保持する機能を有する。「優先順位決定手段が決定すべき優先順位」とは、チューナ部（２１０６）に対して選択すべきデジタル放送信号チャンネルの選択優先順位を指す。「優先順位情報」とは、前記チャンネルの選択優先順位を示した情報であり、具体的には、例えば、チャンネルを優先順位の高い順に並べた情報等である。優先順位情報保持手段は、具体的には、ＲＡＭやＨＤＤ等の所定の記憶領域に優先順位情報をデータベース等として保持することにより実現される。また、データベース等に対するＳＱＬクエリーの実行等、優先順位情報を保持するための処理をＣＰＵに実行させるためのプログラムを含んでいてもよい。
【００５６】
「入力手段」（２１１９）は、前記優先順位情報保持手段（２１１８）に保持される優先順位情報を入力するための機能を有する。入力する優先順位情報は、例えば、ユーザがキーボードやマウス等の入力インタフェースを介して取得されるようになっていてもよいし、デジタル放送受信装置により内部又は外部より自動的に取得されるようになっていてもよい。また、入力手段は、入力インタフェースを介する等して取得された優先順位情報を、さらに前記優先順位情報保持手段（２１１８）により保持されている優先順位情報に反映させる機能が必要である。実際には、例えば、優先順位情報を保持しているデータベースに対してＳＱＬクエリーを実行するなどして反映させることができる。入力手段の具体的な処理としては、例えば、入力インタフェースを介する等して取得された優先順位情報をＲＡＭやＨＤＤ等の所定の記憶領域に格納する。さらに、格納した優先順位情報を所定の記憶領域から読出し、ｉｎｓｅｒｔ文、ｕｐｄａｔｅ文、ｄｅｌｅｔｅ文等を作成し、ＲＡＭやＨＤＤ等の所定の記憶領域に保持されているデータベースに対して作成したＳＱＬクエリーを実行し、さらに新しいデータが挿入されたデータベースを所定の記憶領域に格納する。なお、入力手段は、このような処理をＣＰＵに実行させるためのプログラムを含んでいてもよい。
【００５７】
（実施形態８：処理の流れ）本実施形態に係るデジタル放送受信装置における処理の流れは、実施形態５から７のいずれか一に係るデジタル放送受信装置における処理の流れと同様である。ただし、優先順位情報を入力し、入力された優先順位情報を保持する処理を随時実行する。なお、この処理は、主に優先順位情報保持手段と入力手段によって実行される。
【００５８】
（実施形態８：効果）本実施形態に係るデジタル放送受信装置においては、優先順位情報を入力し、入力された優先順位情報を保持する機能を有するため、例えば、ユーザが任意に優先順位を決定する等が可能である。
（実施形態９）
【００５９】
（実施形態９：概要）本実施形態は、実施形態１から８のいずれか一に記載のデジタル放送受信装置を有する携帯型端末装置に関する。
【００６０】
（実施形態９：構成）本実施形態に係る携帯型端末装置の機能ブロックを図２２に例示する。携帯型端末装置（２２２０）は、デジタル放送受信装置（２２００）を有する。また、デジタル放送受信装置（２２００）の構成は、実施形態１から８のいずれか一に係るデジタル放送受信装置の構成と同様である。図２２においては、実施形態８に係るデジタル放送受信装置の構成である場合を例示している。デジタル放送受信装置（２２００）は、「第一処理ブロック」（２２０１）と、「第二処理ブロック」（２２０２）と、「状態検出部」（２２０３）と、「視聴操作部」（２２０４）と、「制御部」（２２０５）と、「視聴履歴保持部」（２２１３）と、「時計部」（２２１５）と、を有する。また、前記第一処理ブロック（２２０１）は、「チューナ部」（２２０６）と、「ＴＳ分離部」（２２０７）と、「ＥＩＴ解析部」（２２０８）の少なくとも一を含む。また、前記第二処理ブロック（２２０２）は、「デコード部」（２２０９）を含む。また、前記制御部（２２０５）は、「優先順位決定手段」（２２１２）と「優先順位情報保持手段」（２２１８）と「入力手段」（２２１９）を有する。また、前記優先順位決定手段（２２１２）は、「視聴履歴依存決定器」（２２１４）と「時刻依存決定器」（２２１７）を有する。また、前記ＥＩＴ解析部（２２０８）は、「番組情報出力手段」（２２１０）を有する。また、前記視聴履歴保持部（２２１３）は、「時刻付視聴履歴保持手段」（２２１６）を有する。なお、各構成要素の機能は実施形態８と同様であるので、ここでの説明は省略する。また、携帯型端末装置（２２２０）は持ち運び可能な携帯型の端末であり、具体的には、携帯電話、ＰＤＡ（Ｐｅｒｓｏｎａｌ  Ｄｉｇｉｔａｌ  Ａｓｓｉｓｔａｎｃｅ）、ノート型パソコン等が該当する。これらのような携帯型端末装置においては、通常はバッテリーにて動作するため、バッテリー消費を抑えることができることは特に大きな効果となる。
【００６１】
（実施形態９：処理の流れ）本実施形態に係る携帯型端末装置における処理の流れは、実施形態１から８のいずれか一に係るデジタル放送受信装置における処理の流れと同様である。
【００６２】
（実施形態９：効果）本実施形態に係る携帯型端末装置は、通常はバッテリーにより動作する場合が多いため、特にバッテリー消費を抑えられることは大きな効果となる。
【図面の簡単な説明】
【００６３】
【図１】実施形態１に係るデジタル放送受信装置の機能ブロック図
【図２】一般的なコンピュータの構成を例示する図
【図３】地上デジタルテレビ放送波の受信処理を示す概略図
【図４】実施形態１に係るデジタル放送受信装置の処理の流れを示すフロー図
【図５】実施形態２に係るデジタル放送受信装置の機能ブロック図
【図６】第一処理ブロックと第二処理ブロックに含まれる各部の構成例
【図７】実施形態２に係るデジタル放送受信装置の処理の流れを示すフロー図
【図８】実施形態３に係るデジタル放送受信装置の機能ブロック図
【図９】番組情報の一例
【図１０】実施形態３に係るデジタル放送受信装置の処理の流れを示すフロー図
【図１１】実施形態４に係るデジタル放送受信装置の機能ブロック図
【図１２】実施形態４に係るデジタル放送受信装置の処理の流れを示すフロー図
【図１３】実施形態５に係るデジタル放送受信装置の機能ブロック図
【図１４】実施形態５に係るデジタル放送受信装置の処理の流れを示すフロー図
【図１５】実施形態６に係るデジタル放送受信装置の機能ブロック図
【図１６】視聴履歴保持部の具体例
【図１７】視聴履歴依存決定器の具体例
【図１８】実施形態７に係るデジタル放送受信装置の機能ブロック図
【図１９】時刻付視聴履歴保持手段の具体例
【図２０】時刻依存決定器の具体例
【図２１】実施形態８に係るデジタル放送受信装置の機能ブロック図
【図２２】実施形態９に係るデジタル放送受信装置の機能ブロック図
【符号の説明】
【００６４】
０１００    デジタル放送受信装置
０１０１    第一処理ブロック
０１０２    第二処理ブロック
０１０３    状態検出部
０１０４    視聴操作部
０１０５    制御部
【図１】
2007067976.tif 000003
【図２】
2007067976.tif 000004
【図３】
2007067976.tif 000005
【図４】
2007067976.tif 000006
【図５】
2007067976.tif 000007
【図６】
2007067976.tif 000008
【図７】
2007067976.tif 000009
【図８】
2007067976.tif 000010
【図９】
2007067976.tif 000011
【図１０】
2007067976.tif 000012
【図１１】
2007067976.tif 000013
【図１２】
2007067976.tif 000014
【図１３】
2007067976.tif 000015
【図１４】
2007067976.tif 000016
【図１５】
2007067976.tif 000017
【図１６】
2007067976.tif 000018
【図１７】
2007067976.tif 000019
【図１８】
2007067976.tif 000020
【図１９】
2007067976.tif 000021
【図２０】
2007067976.tif 000022
【図２１】
2007067976.tif 000023
【図２２】
2007067976.tif 000024